【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
収容物が収容されるとともに、装置本体から引き出し可能な収容容器であって、
収容容器本体の引き出し方向の前面に、手を差し込んで前記装置本体から当該収容容器を引き出すための把手部を備え、
前記把手部は、装着可能な取っ手を具備し、
前記取っ手は、
前記収容容器本体の引き出し方向の前面から突出するとともに、貫通穴を介して把持可能に形成された把持部を具備した取っ手主部と、
前記把手部に係合して前記収容容器本体に装着される装着部と、
を具備したことを特徴とする収容容器。
【請求項２】
前記取っ手の前記装着部は、前記把手部に手を差し込む方向から当該把手部に挿入されて係合されることを特徴とする請求項１に記載の収容容器。
【請求項３】
前記取っ手主部は、前記収容容器本体の引き出し方向の前面に立設するとともに前記貫通穴が形成された板部と、前記板部の縁部を縁取るように肉厚に形成されるとともに前記把持部が形成された肉厚部と、を備えたことを特徴とする請求項１又は請求項２に記載の収容容器。
【請求項４】
前記肉厚部は、前記把持部が形成された中央部から前記収容容器本体の引き出し方向の前面に接する両端部にかけて湾曲状に形成されたことを特徴とする請求項３に記載の収容容器。
【請求項５】
前記肉厚部は、前記把持部の肉厚が当該把持部以外の肉厚よりも薄くなるように形成されたことを特徴とする請求項３又は請求項４に記載の収容容器。
【請求項６】
前記取っ手の前記装着部は、前記把手部に係合されるときに前記収容容器本体に係止して位置決めするための係止爪を備えたことを特徴とする請求項１〜請求項５のいずれかに記載の収容容器。
【請求項７】
前記収容容器本体を覆うカバーを備え、
前記係止爪は、前記収容容器本体と前記カバーとによって形成される段差部に係止されることを特徴とする請求項６に記載の収容容器。
【請求項８】
前記収容物として記録媒体が収容された請求項１〜請求項７のいずれかに記載の収容容器と、
前記収容容器に収容された記録媒体上に画像を形成する画像形成部と、
を備えたことを特徴とする画像形成装置。
【手続補正２】
【補正対象書類名】明細書
【補正対象項目名】発明の名称
【補正方法】変更
【補正の内容】
【発明の名称】収容容器、及び、画像形成装置
【手続補正３】
【補正対象書類名】明細書
【補正対象項目名】０００１
【補正方法】変更
【補正の内容】
【０００１】
この発明は、収容物が収容されて画像形成装置本体から引き出し可能に構成された収容容器と、それを備えた画像形成装置と、に関するものである。
【手続補正４】
【補正対象書類名】明細書
【補正対象項目名】０００８
【補正方法】変更
【補正の内容】
【０００８】
この発明は、上述のような課題を解決するためになされたもので、種々のユーザーにとって、収容物が収容された収容容器を装置本体から簡易に引き出すことができる、操作性の高い、収容容器、及び、画像形成装置を提供することにある。
【手続補正５】
【補正対象書類名】明細書
【補正対象項目名】０００９
【補正方法】変更
【補正の内容】
【０００９】
この発明の請求項１記載の発明にかかる収容容器は、収容物が収容されるとともに、装置本体から引き出し可能な収容容器であって、収容容器本体の引き出し方向の前面に、手を差し込んで前記装置本体から当該収容容器を引き出すための把手部を備え、前記把手部は、装着可能な取っ手を具備し、前記取っ手は、前記収容容器本体の引き出し方向の前面から突出するとともに、貫通穴を介して把持可能に形成された把持部を具備した取っ手主部と、前記把手部に係合して前記収容容器本体に装着される装着部と、を具備したものである。
【手続補正６】
【補正対象書類名】明細書
【補正対象項目名】００１０
【補正方法】変更
【補正の内容】
【００１０】
また、請求項２記載の発明にかかる収容容器は、前記請求項１に記載の発明において、前記取っ手の前記装着部は、前記把手部に手を差し込む方向から当該把手部に挿入されて係合されるものである。
【手続補正７】
【補正対象書類名】明細書
【補正対象項目名】００１１
【補正方法】変更
【補正の内容】
【００１１】
また、請求項３記載の発明にかかる収容容器は、前記請求項１又は請求項２に記載の発明において、前記取っ手主部は、前記収容容器本体の引き出し方向の前面に立設するとともに前記貫通穴が形成された板部と、前記板部の縁部を縁取るように肉厚に形成されるとともに前記把持部が形成された肉厚部と、を備えたものである。
【手続補正８】
【補正対象書類名】明細書
【補正対象項目名】００１２
【補正方法】変更
【補正の内容】
【００１２】
また、請求項４記載の発明にかかる収容容器は、前記請求項３に記載の発明において、前記肉厚部は、前記把持部が形成された中央部から前記収容容器本体の引き出し方向の前面に接する両端部にかけて湾曲状に形成されたものである。
【手続補正９】
【補正対象書類名】明細書
【補正対象項目名】００１３
【補正方法】変更
【補正の内容】
【００１３】
また、請求項５記載の発明にかかる収容容器は、前記請求項３又は請求項４に記載の発明において、前記肉厚部は、前記把持部の肉厚が当該把持部以外の肉厚よりも薄くなるように形成されたものである。
【手続補正１０】
【補正対象書類名】明細書
【補正対象項目名】００１４
【補正方法】変更
【補正の内容】
【００１４】
また、請求項６記載の発明にかかる収容容器は、前記請求項１〜請求項５のいずれかに記載の発明において、前記取っ手の前記装着部は、前記把手部に係合されるときに前記収容容器本体に係止して位置決めするための係止爪を備えたものである。
【手続補正１１】
【補正対象書類名】明細書
【補正対象項目名】００１５
【補正方法】変更
【補正の内容】
【００１５】
また、請求項７記載の発明にかかる収容容器は、前記請求項６に記載の発明において、前記収容容器本体を覆うカバーを備え、前記係止爪は、前記収容容器本体と前記カバーとによって形成される段差部に係止されるものである。
【手続補正１２】
【補正対象書類名】明細書
【補正対象項目名】００１６
【補正方法】変更
【補正の内容】
【００１６】
また、請求項８記載の発明にかかる画像形成装置は、前記収容物として記録媒体が収容された請求項１〜請求項７のいずれかに記載の収容容器と、前記収容容器に収容された記録媒体上に画像を形成する画像形成部と、を備えたものである。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
本発明は、取っ手に、貫通穴を介して把持可能に形成された把持部が設けられるとともに、収容容器の把手部に装着するための装着部が設けられているために、ユーザーにとって使い勝手のよい取っ手を選択的に収容容器に設置することができる。したがって、種々のユーザーにとって、収容物が収容された収容容器を装置本体から簡易に引き出すことができる、操作性の高い、収容容器、及び、画像形成装置を提供することができる。